(57)【要約】      （修正有）【課題】設置場所に拘わらず良好な電波受信環境を探して標準電波を受信し、時刻補正を容易に行うことができ、本体は必要な時刻表示機能、時計歩進機能や時刻印字機能等が受信ユニットの着脱により損なわれることのないタイムレコーダを提供する。【解決手段】タイムレコーダ本体は、時間を計時する本体側計時部１１０Ａ、時刻情報を表示する表示制御部１１０Ｄ、表示部１３０に表示されている時刻情報をタイムカードに記録する時刻印字制御部１１０Ｅ、時刻印字関連機能部１２０、時刻情報を含むデータを送受信する外部接続インターフェース部１１０Ｆ、外部ユニットから補正用の時刻情報を取得して時刻情報を補正する時刻情報補正処理部１１０Ｇは、標準電波を受信して補正した時間を計時して得られる時刻情報を、外部接続インターフェース部１１０Ｆを介して取得した補正用の時刻情報で本体側計時部１１０Ａにより時間を計時して得られる時刻情報を補正する。【選択図】図６
2014010471.tif 000002
【特許請求の範囲】
【請求項１】
時間を計時する本体側計時手段と、時刻情報を表示する時刻表示手段と、上記時刻表示手段により表示されている時刻情報をカード挿入口から挿入されたタイムカードに記録する記録手段と、時刻情報を少なくとも含むデータを外部ユニットとの間で送受信する外部接続インターフェース手段と、上記外部ユニットから補正用の時刻情報を取得して上記本体側計時手段により時間を計時して得られる時刻情報を補正する本体側制御手段とを有するタイムレコーダ本体と、
標準電波の受信動作を行う標準電波受信手段と、時間を計時する外部側計時手段と、上記標準電波受信手段により標準電波を受信して得られる標準時刻情報に基づいて、上記外部側計時手段により時間を計時して得られる時刻情報を補正する制御を行う外部側制御手段と、時刻情報を少なくとも含むデータを上記タイムレコーダ本体との間で送受信する本体接続インターフェース手段とを有し、上記タイムレコーダ本体と上記データを送受信可能な外部ユニットとを備え、
上記本体側制御手段は、上記外部ユニットにおいて上記標準電波受信手段により標準電波を受信して得られた上記標準時刻情報に基づいて上記外部側制御手段により補正した上記外部側計時手段により時間を計時して得られる時刻情報を、上記本体接続インターフェース手段と上記外部接続インターフェース手段を介して補正用の時刻情報として取得し、取得した補正用の時刻情報で上記本体側計時手段により時間を計時して得られる時刻情報を補正することを特徴とするタイムレコーダ。
【請求項２】
上記外部ユニットは、上記外部側計時手段により得られる時刻情報が上記タイムレコーダ本体の上記本体側計時手段により得られる時刻情報の補正処理に有効か否かを判断する判定手段を備えることを特徴とする請求項１記載のタイムレコーダ。
【請求項３】
上記外部ユニットは、動作可能な駆動電源を検知する電源検知手段を備え、上記外部側制御手段は、上記電源検知手段による検知出力に基づいて、上記外部側計時手段により得られる時刻情報が上記タイムレコーダ本体の上記本体側計時手段により得られる時刻情報の補正処理に有効か否かを判断する判定手段を備えることを特徴とする請求項２記載のタイムレコーダ。
【請求項４】
上記外部ユニットが所定期間内に標準電波の受信に成功した場合に、上記外部側計時手段により得られる時刻情報を、上記タイムレコーダ本体の上記本体側計時手段により得られる時刻情報の補正処理に用いることを特徴とする請求項２に記載のタイムレコーダ。
【請求項５】
上記本体側制御手段は、上記外部ユニットから取得した補正用の時刻情報と上記本体側計時手段により得られる時刻情報とが所定の時間差範囲内にある場合に、上記外部ユニットから取得した補正用の時刻情報による上記本体側計時手段により得られる時刻情報の補正処理を行うことを特徴とする請求項２に記載のタイムレコーダ。
【請求項６】
上記外部ユニットは、上記タイムレコーダ本体と上記本体接続インターフェース手段と上記外部接続インターフェース手段を介して着脱自在に構成され、
上記外部ユニットが上記タイムレコーダ本体に装着されている時に、上記外部側計時手段により得られる時刻情報を補正用の時刻情報として取得し、取得した補正用の時刻情報で上記本体側計時手段により時間を計時して得られる時刻情報を補正することを特徴とする請求項１記載のタイムレコーダ。
【請求項７】
上記外部ユニットは、上記タイムレコーダ本体からの取り外されたことを検知する取り外し検知手段を備え、
上記外部側制御手段は、上記取り外し検知手段による検出出力に基づいて、上記タイムレコーダ本体から取り外されてから所定時間経過後に上記標準電波受信手段による標準電波の受信動作を開始する制御を行うことを特徴とする請求項６記載のタイムレコーダ。
【請求項８】
上記外部側制御手段は、上記標準電波受信手段による標準電波の受信動作により上記標準時刻情報の取得に成功した場合に、低消費電力モードとする制御を行うことを特徴とする請求項１に記載タイムレコーダ。
【請求項９】
上記外部側制御手段は、上記標準電波受信手段による標準電波の受信動作の開始時に、受信される標準電波の強度を受信した標準電波から読み取られるタイムコードの状態から判断し、受信される標準電波の強度が弱い場合に低消費電力モードで所定時間待機したのちに、上記標準電波受信手段による標準電波の受信動作を再開する制御を行うことを特徴とする請求項８に記載のタイムレコーダ。
【発明の詳細な説明】
【技術分野】
【０００１】
本発明は、タイムカードに出社時間や退社時間等を記録するタイムレコーダに関し、特に、電波時計を利用した時刻修正機能を備えたタイムレコーダに関するものである。
【背景技術】
【０００２】
電波時計を利用した時刻修正機能を備えたタイムレコーダでは、例えば、決められた受信時間（一日数回）に標準電波による標準時刻情報を受信して、この標準時刻情報に基づいて表示部に表示された時刻を修正し、正確な時刻を表示させるようになしている。
【０００３】
ここで、標準電波は、世界各国で周波数標準と時刻情報の標準とを提供するために数１０ｋＨｚの長波帯、もしくは１〜１５ＭＨｚの短波帯で送信されている。この時刻情報には、一般に時間、日付、年、曜日、うるう秒、サマータイムなどの情報が含まれる。日本では、独立行政法人情報通信機構により、２つの送信局から４０ｋＨｚと６０ｋＨｚとで標準電波ＪＪＹ（登録商標）が送信されている。
【０００４】
標準電波ＪＪＹは、１Ｈｚのタイムコードを４０ｋＨｚもしくは６０ｋＨｚの搬送波に１０：１でＡＭ変調をかけたもので、１秒を１ビット、６０ビット（１分）を１フレームとする、シリアルのデジタル信号である。タイムコードは分、時、曜日、通算日（１年）、西暦年、うるう秒情報等を２進数（ＢＣＤ(Binary Coded Decimal Notation：２進化１０進法)正論理）で表現している。このタイムコードは、３種類のデューティ比からなり、２０％デューティは正分（毎分０秒）の立ち上がりに対応するマーカー（Ｍ）及び９秒、１９秒、２９秒、３９秒、４９秒の立ち上がりに対応するポジションマーカ（Ｐ０〜Ｐ５）を表し、５０％デューティは２進数の１を表し、８０％デューティは２進数の０を表している。また、各ビットの立ち上がりがＵＴＣと同期する様調整されている。
【０００５】
標準電波で使用している長波の電波は、地表に沿って伝わる地表波と電離層（Ｄ層）によって反射されて伝わる空間波が合成されて受信点で受信される。
【０００６】
送信点よりおおむね２００km以内の近距離受信点では、空間波の強度は地表波に比べて低いので、受信強度は安定している。夜間は空間波強度が増加するが、変動はそう大きくならない。送信点よりその先７００km程の範囲では、地表波と空間波の強度がほとんど同じ、もしくはやや地表波が強いレベルになる。
【０００７】
地表波と空間波では位相が異なるため（伝わる伝搬距離が異なるため）合成される受信強度は変動する。
【０００８】
電離層の影響が小さい日中は変動が少なく、夜間は受信レベルは増加するものの変動は大きくなる。
【０００９】
さらに遠方では、地表波の強度より空間波の強度が大きくなり、日中、夜間を通して受信強度の変動は大きく観測される。
【００１０】
Ｄ層の電離層は、日中と夜間ではその見かけの高さが変わる。また、夏の期間と他の期間でも異なることが観測されている。夏以外の期間の方が、変動は増えるものの空間波の強度が増すため、電波時計は夜間に受信しやすくなる。
【００１１】
従来の電波時計付きタイムレコーダでは、電波受信アンテナと電波信号中継基板から成る電波時計ユニットがタイムレコーダ本体と有線で接続されており、電波受信制御はタイムレコーダ本体側で行っていた。
【００１２】
しかしながら、電波時計ユニットがタイムレコーダ本体と有線接続された従来の電波時計付きタイムレコーダでは、電波受信の成否はタイムレコーダ本体の設置場所付近の電波感度に依存することになる。
【００１３】
通常、タイムレコーダは、事務所や更衣室の出入口など人が多く出入りする場所に設置されるが、必ずしも窓際等の電波受信に有利な位置ではなく、設置される場所により標準時刻の電波受信に支障が生ずることがある。また、家電機器が近傍にあるとその家電機器からのノイズの影響を受けて標準電波を受信することができなくなるという問題があった。このため、標準電波によって時刻を修正する場合、近傍に家電機器のない窓際にタイムレコーダを移動させる等の対応が必要であった。しかしながら、移動先での設置スペースや利用者の移動先での使い勝手などの点で問題があった。
【００１４】
そこで、本件出願人は、タイムレコーダの設置について、標準電波の受信を考慮する必要のない標準電波受信機能を持ったタイムレコーダとして、タイムレコーダ本体に着脱自在に装着する装着ユニットを設け、この装着ユニットに時間を計時する計時手段と、標準電波を受信する標準電波受信手段とを設け、この標準電波受信手段が受信する標準電波に含まれ標準時刻情報に基づいて計時手段の時刻を修正するようにしたタイムレコーダを先に提案している（例えば、特許文献１参照）。
【先行技術文献】
【特許文献】
【００１５】
【特許文献１】特許４０８９１１７号公報
【発明の概要】
【発明が解決しようとする課題】
【００１６】
上記特許文献１に記載されたタイムレコーダでは、タイムレコーダ本体に着脱自在に装着する装着ユニットに時間を計時する計時手段と、標準電波を受信する標準電波受信手段とを設け、この標準電波受信手段が受信する標準電波に含まれる標準時刻情報に基づいて計時手段の時刻を修正するようにしたので、タイムレコーダ本体から装着ユニットを取り外して、装着ユニットを単独で電波感度の良好な位置において標準電波を受信することができるので、タイムレコーダ本体の設置について標準電波の受信を考慮する必要がない。
【００１７】
しかしながら、上記タイムレコーダは、計時手段の時刻を表示する表示部も装着ユニットに設けられているので、装着ユニットを取り外した状態のタイムレコーダ本体のみでは、時刻表示機能や時計歩進機能がなく、必要な時刻印字を行うことができないという問題点があった。
【００１８】
本発明は、上述の如き従来の実情に鑑みてなされたものであり、タイムレコーダ本体の設置場所に拘わらず受信ユニットのみを取り外して良好な電波受信環境を探して標準電波を受信し、時刻補正を容易に行うことができ、しかも、タイムレコーダ本体は必要な時計歩進機能や時刻印字機能等が受信ユニットの着脱により損なわれることのないタイムレコーダを提供することを目的とする。
【００１９】
本発明の他の目的、本発明によって得られる具体的な利点は、以下に説明される実施の形態の説明から一層明らかにされる。
【課題を解決するための手段】
【００２０】
本発明は、タイムレコーダであって、時間を計時する本体側計時手段と、時刻情報を表示する時刻表示手段と、上記時刻表示手段により表示されている時刻情報をカード挿入口から挿入されたタイムカードに記録する記録手段と、時刻情報を少なくとも含むデータを外部ユニットとの間で送受信する外部接続インターフェース手段と、上記外部ユニットから補正用の時刻情報を取得して上記本体側計時手段により時間を計時して得られる時刻情報を補正する本体側制御手段とを有するタイムレコーダ本体と、標準電波の受信動作を行う標準電波受信手段と、時間を計時する外部側計時手段と、上記標準電波受信手段により標準電波を受信して得られる標準時刻情報に基づいて、上記外部側計時手段により時間を計時して得られる時刻情報を補正する制御を行う外部側制御手段と、時刻情報を少なくとも含むデータを上記タイムレコーダ本体との間で送受信する本体接続インターフェース手段とを有し、上記タイムレコーダ本体と上記データを送受信可能な外部ユニットとを備え、上記本体側制御手段は、上記外部ユニットにおいて上記標準電波受信手段により標準電波を受信して得られた上記標準時刻情報に基づいて上記外部側制御手段により補正した上記外部側計時手段により時間を計時して得られる時刻情報を、上記本体用接続インターフェース手段と上記外部接続インターフェース手段を介して補正用の時刻情報として取得し、取得した補正用の時刻情報で上記本体側計時手段により時間を計時して得られる時刻情報を補正することを特徴とする。
【００２１】
本発明に係るタイムレコーダにおいて、上記外部ユニットは、例えば、動作可能な駆動電源を検知する電源検知手段を備え、上記外部側制御手段は、上記電源検知手段による検知出力に基づいて、上記外部側計時手段により得られる時刻情報が上記タイムレコーダ本体の上記本体側計時手段により得られる時刻情報の補正処理に有効か否かを判断する判定手段を備えるものとすることができる。
【００２２】
また、本発明に係るタイムレコーダにおいて、上記本体側制御手段は、例えば、上記外部ユニットから取得した補正用の時刻情報と上記本体側計時手段により得られる時刻情報とが所定の時間差範囲内にある場合に、上記外部ユニットから取得した補正用の時刻情報による上記本体側計時手段により得られる時刻情報の補正処理を行うものとすることができる。
【００２３】
また、本発明に係るタイムレコーダにおいて、上記本体側制御手段は、例えば、上記本体側計時手段により得られる時刻情報を上記時刻表示手段により表示しており、上記カード挿入口からタイムカードが挿入された時に上記時刻表示手段により表示されている時刻情報を上記記録手段により上記タイムカードに記録する制御を行うものとすることができる。
【００２４】
また、本発明に係るタイムレコーダにおいて、上記本体側制御手段は、例えば、上記タイムレコーダ本体と上記外部ユニットが送受信可能な状態の時に上記外部ユニットから上記本体接続インターフェース手段と上記外部接続インターフェース手段を介して取得される上記外部側計時手段により得られる時刻情報を上記時刻表示手段により表示しており、上記カード挿入口から上記タイムカードが挿入された時に上記時刻表示手段により表示されている時刻情報を上記記録手段により上記タイムカードに記録する制御を行うものとすることができる。
【００２５】
また、本発明に係るタイムレコーダは  例えば、上記外部ユニットが所定期間内に標準電波の受信に成功した場合に、上記外部側計時手段により得られる時刻情報を、上記タイムレコーダ本体の上記本体側計時手段により得られる時刻情報の補正処理に用いるものとすることができる。
【００２６】
また、本発明に係るタイムレコーダにおいて、上記外部ユニットは、例えば、上記タイムレコーダ本体と上記本体接続インターフェース手段と上記外部接続インターフェース手段を介して着脱自在に構成され、上記外部ユニットが上記タイムレコーダ本体に装着されている時に、上記外部側計時手段により得られる時刻情報を補正用の時刻情報として取得し、取得した補正用の時刻情報で上記本体側計時手段により時間を計時して得られる時刻情報を補正するものとすることができる。
【００２７】
また、本発明に係るタイムレコーダにおいて、上記外部ユニットは、例えば、上記タイムレコーダ本体から取り外されたことを検知する取り外し検知手段を備え、上記外部側制御手段は、上記取り外し検知手段による検出出力に基づいて、上記タイムレコーダ本体から取り外されてから所定時間経過後に上記標準電波受信手段による標準電波の受信動作を開始する制御を行うものとすることができる。
【００２８】
また、本発明に係るタイムレコーダにおいて、上記外部側制御手段は、例えば、上記標準電波受信手段による標準電波の受信動作を行った結果の履歴情報を保存しておき、上記履歴情報を基に受信動作を制御するものとすることができる。
【００２９】
また、本発明に係るタイムレコーダにおいて、上記外部側制御手段は、例えば、上記標準電波受信手段による標準電波の受信動作を行った結果の履歴情報を保存しておき、上記標準時刻情報の取得に成功した周波数での受信動作を優先する制御を行うものとすることができる。
【００３０】
また、本発明に係るタイムレコーダにおいて、上記外部側制御手段は、例えば、上記標準電波受信手段による標準電波の受信動作を行った結果の履歴情報を保存しておき、上記標準時刻情報の取得に成功した曜日又は時間帯又はその両方での受信動作を優先する制御を行うものとすることができる。
【００３１】
また、本発明に係るタイムレコーダにおいて、上記外部側制御手段は、例えば、上記標準電波受信手段による標準電波の受信動作により上記標準時刻情報の取得に成功した場合に、低消費電力モードとする制御を行うものとすることができる。
【００３２】
また、本発明に係るタイムレコーダにおいて、上記外部側制御手段は、例えば、上記標準電波受信手段による標準電波の受信動作の開始時に、受信される標準電波の強度を受信した標準電波から読み取られるタイムコードの状態から判断し、受信される標準電波の強度が弱い場合に低消費電力モードで所定時間待機したのちに、上記標準電波受信手段による標準電波の受信動作を再開する制御を行うものとすることができる。
【００３３】
また、本発明に係るタイムレコーダにおいて、上記外部ユニットは、例えば、上記標準電波受信手段が動作状態を示す報知手段を備えるものとすることができる。
【００３４】
また、本発明に係るタイムレコーダにおいて、上記タイムレコーダ本体は、例えば、上記外部ユニットから上記本体接続インターフェース手段と上記外部接続インターフェース手段を介して取得した補正用の時刻情報で、上記タイムレコーダ本体の上記本体側計時手段により時間を計時して得られる時刻情報が所定時間内に補正できたか否かを報知する本体側報知手段を備えるものとすることができる。
【００３５】
また、本発明に係るタイムレコーダにおいて、上記タイムレコーダ本体は、例えば、上記外部ユニットが装着された状態で該外部ユニットに電力を供給する電力供給手段を備え、上記取り外し検知手段は、上記電力供給手段からの電力供給の有無により、上記外部ユニットが上記タイムレコーダ本体から取り外されたか否かを検知するものとすることができる。
【００３６】
また、本発明に係るタイムレコーダにおいて、上記外部ユニットは、例えば、上記タイムレコーダ本体に装着された状態で上記電力供給手段から供給される電力により蓄電手段を充電する充電手段を備え、上記タイムレコーダ本体から取り外された状態では、上記蓄電手段に蓄電されている電力を駆動電源とするものとすることができる。
【００３７】
また、本発明に係るタイムレコーダにおいて、上記外部接続インターフェースと上記本体接続インターフェースは、例えば、上記外部ユニットが上記タイムレコーダ本体に装着された状態で接地ライン、電源供給ライン、送信ライン、及び、受信ラインを導通させる接続端子を有するものとすることができる。
【００３８】
さらに、本発明に係るタイムレコーダにおいて、上記タイムレコーダ本体と上記外部ユニットは、それぞれでの個別照合を行うことなく、上記インターフェース手段と互換性を有するインターフェース手段を有するタイムレコーダ本体の時刻補正機能を有効にしたものとすることができる。
【図面の簡単な説明】
【００３９】
【図１】本発明を適用したタイムレコーダの外観斜視図である。
【図２】上記タイムレコーダにおいてタイムレコーダ本体から外部ユニットを取り外した状態を示す外観斜視図である。
【図３】上記タイムレコーダにおいてタイムレコーダ本体から外部ユニットを取り外した状態を背面側から見た外観斜視図である。
【図４】上記外部ユニット背面側から見た外観斜視図である。
【図５】上記タイムレコーダの電気的な構成を示すブロック図である。
【図６】上記タイムレコーダ本体に備えられたＣＰＵにより構成される制御部の機能構成を示すブロック図である。
【図７】受信した標準電波信号を受信検波することにより得られる１秒周期の矩形波信号を模式的に示す図である。
【図８】上記矩形波信号の波形図である。
【図９】上記外部ユニットに備えられたＣＰＵにより構成される制御部の機能構成を示すブロック図である。
【図１０】上記外部ユニットの制御部による標準電波の受信動作の制御手順を示すフローチャートである。
【図１１】上記タイムレコーダ本体の制御部による外部ユニットの動作の制御手順を示すフローチャートである。
【図１２】上記タイムレコーダ本体と外部ユニットとの間の接続確認処理の手順を示すフローチャートである。
【図１３】上記タイムレコーダにおいて想定しているお勧めモードの使用例を模式的に示す図である。
【図１４】休日受信モードが設定された場合の上記外部ユニットの制御部による制御手順を示すフローチャートである。
【発明を実施するための形態】
【００４０】
以下、本発明の実施の形態について、図面を参照して詳細に説明する。なお、本発明は以下の例に限定されるものではなく、本発明の要旨を逸脱しない範囲で、任意に変更可能であることは言うまでもない。
【００４１】
本発明は、例えば図１に示すような構成のタイムレコーダ１００に適用される。
【００４２】
このタイムレコーダ１００は、タイムレコーダ本体１０と該タイムレコーダ本体１０に対して着脱自在な外部ユニット２０からなる。
【００４３】
このレコーダ本体１０の上面前側には、タイムカード３０が挿入されるカード挿入口１１が設けられている。また、このレコーダ本体１０の前面上部には、時刻などを表示する表示部１３０と操作部１４０が設けられている。さらに、このレコーダ本体１０の上面後側には、図２及び図３に示すように、凹状に形成された装着部１４が設けられている。
【００４４】
上記装着部１４の底部には、図３に示すように、装着される外部ユニット２０とレコーダ本体１０との電気的な接続を行う接続端子１５Ａ〜１５Ｅを有する外部接続用の雄コネクタ１５が設けられており、外部ユニット２０には、図４に示すように、装着されるレコーダ本体１０との電気的な接続を行う接続端子２１Ａ〜２１Ｅを有する本体接続用の雌コネクタ２１が設けられている。
【００４５】
このタイムレコーダ１００において、上記接続端子１５Ａ〜１５Ｅには、上記レコーダ本体１０側の接地ライン、電源供給ライン、送信ライン、受信ライン及び接地ラインが接続され、上記接続端子２１Ａ〜２１Ｅには、上記外部ユニット２０側の接地ライン、電源供給ライン、送信ライン、受信ライン及び接地ラインが接続されている。
【００４６】
上記外部ユニット２０は、上記レコーダ本体１０の装着部１４に装着されると、上記本体接続用の雌コネクタ２１の接続端子２１Ａ〜２１Ｅが上記雄コネクタ１５の接続端子１５Ａ〜１５Ｅに当接した状態となり、上記レコーダ本体１０と電気的に接続される。
【００４７】
ここで、 このタイムレコーダ１００におけるレコーダ本体１０及び外部ユニット２０の電気的な構成を図５のブロック図に示す。
【００４８】
上記レコーダ本体１０は、図５のブロック図に示すように、制御部１１０、時刻印字関連機能部１２０、表示部１３０、操作部１４０、電源回路１５０等を備え、上記制御部１１０と電源回路１５０が上記外部接続用の雄コネクタ１５に接続されている。
【００４９】
このレコーダ本体１０の制御部１１０は、ＲＯＭ１１１に記録された制御プログラムに従って動作して、カレンダー情報、時刻情報、電波受信履歴情報、設定情報、打刻情報などをＲＡＭ１１２に保存しておくＣＰＵ等から構成されている。
【００５０】
また、上記時刻印字関連機能部１２０は、上記カード挿入口１１に挿入されたタイムカード３０に時刻情報を印字するプリンタヘッド１２１、上記カード挿入口１１に挿入されたタイムカード３０を所定位置まで引き込むカード送りモータ１２２、上記プリンタヘッド１２１を印字位置に移動させるヘッド送りモータ１２３、上記カード挿入口１１に挿入されたタイムカード３０を検知するカードセンサー１２４、上記プリンタヘッド１２１を検知するヘッドセンサー１２５などからなる。
【００５１】
この時刻印字関連機能部１２０は、上記カードセンサー１２４やヘッドセンサー１２５による検知出力を上記制御部１１０に供給し、上記制御部１１０により制御されて時刻印字を行う。
【００５２】
さらに、上記ＣＰＵ等から構成された上記制御部１１０は、その機能構成を図６のブロック図に示すように、水晶振動子１１７により得られる高精度のクロック信号に基づいて時間を計時して時刻情報を生成する本体側計時部１１０Ａ、及び、この本体側計時部１１０Ａにより生成した時刻情報に基づいてカレンダー情報を生成するカレンダー処理部１１０Ｂとして機能し、上記本体側計時部１１０Ａにより生成した時刻情報及び上記カレンダー処理部１１０Ｂにより生成したカレンダー情報を上記ＲＡＭ１１２に保存する。
【００５３】
また、上記制御部１１０は、上記操作部１４０の操作キーによる操作入力を受け付けて、各種設定情報を生成する設定情報生成部１１０Ｃとして機能し、生成した設定情報を上記ＲＡＭ１１２に保存する。
【００５４】
また、上記制御部１１０は、時刻情報や設定情報を表示部１３０に表示させる表示制御部１１０Ｄとして機能する。
【００５５】
また、上記制御部１１０は、上記表示部１３０に表示されている時刻情報を打刻情報として上記時刻印字関連機能部１２０の上記タイムカード３０に印字する制御を行う時刻印字制御部１１０Ｅとして機能する。そして、この制御部１１０は、上記カードセンサー１２４の検知出力に基づいて上記カード挿入口１１にタイムカード３０が挿入されたと判断すると、打刻情報を生成して、上記タイムカード３０をカード送り駆動モータ１２２により所定位置まで引き込み、上記プリンタヘッド１２１をヘッド送りモータ１２３により印字位置に移動して、上記表示部１３０に表示されている時刻情報を上記タイムカード３０に印字し、その後に上記タイムカード３０を上記カード送り駆動モータ１２２により排出させる。
【００５６】
ここで、上記タイムレコーダ本体の１０の制御部１１０の表示制御部１１０Ｄは、上記本体側計時部１１０Ａにより得られる時刻情報を上記表示部１３０により表示しており、上記カード挿入口１１からタイムカード３０が挿入された時に上記表示部１３０に表示されている時刻情報を上記時刻印字関連機能部１２０により上記タイムカード３０に印字する制御を行う。
【００５７】
なお、上記タイムレコーダ本体の１０の制御部１１０の表示制御部１１０Ｄは、上記タイムレコーダ本体１０に上記外部ユニット２０が装着されている場合に、上記外部ユニット２０の外部側計時部２１０Ａにより得られる時刻情報を上記表示部１３０により表示しており、上記カード挿入口１１からタイムカード３０が挿入された時に上記表示部１３０に表示されている時刻情報を上記時刻印字関連機能部１２０により上記タイムカード３０に印字する制御を行うようにすることもできる。
【００５８】
また、上記制御部１１０は、上記外部接続用の雄コネクタ１５と上記本体接続用の雌コネクタ２１を介して電気的に接続される上記外部ユニット２０の制御部２１０との間でシリアル通信を行う外部接続インターフェース部１１０Ｆとして機能する。そして、上記制御部１１０は、上記外部接続インターフェース部１１０Ｆを介して上記外部ユニット２０から電波受信履歴情報を取得して上記ＲＡＭ１１２に保存する。
【００５９】
さらに、上記制御部１１０は、上記外部接続インターフェース部１１０Ｆを介して上記外部ユニット２０から補正用の時刻情報を取得して上記本体側計時部１１０Ａにより時間を計時して得られる時刻情報を補正する時刻補正処理部１１０Ｇとして機能する。
【００６０】
また、上記外部ユニット２０は、図５のブロック図に示すように、制御部２１０、標準電波受信部２２０、電源回路２３０、電源検知部２４０等を備え、上記制御部２１０と電源回路２３０が上記本体接続用の雌コネクタ２１に接続されている。
【００６１】
この外部ユニット２０の制御部２１０は、ＲＯＭ２１１に記録された制御プログラムに従って動作して、カレンダー情報、時刻情報、電波受信履歴情報、設定情報などをＲＡＭ２１２に保存しておくＣＰＵ等から構成されている。
【００６２】
また、上記標準電波受信部２２０は、４０ｋＨｚ又は６０ＫＨｚの標準電波（ＪＪＹ）を受信する受信アンテナ２２１、受信アンテナ２２１を介して４０ｋＨｚ又は６０ＫＨｚの標準電波を受信し、受信した標準電波信号から標準時刻情報を復号する時刻電波受信回路２２２を備える。
【００６３】
時刻電波受信回路２２２では、受信した標準電波信号を受信検波することにより、図７に示すような毎秒の開始に同期した１秒周期の矩形波信号が得られる。この矩形波信号は、図８にように、３つの異なるパルス幅を有しており、その３つの異なるパルス幅、８００ｍ秒、５００ｍ秒及び２００ｍ秒により２進値信号“０”及び“１”とポジションマーカー信号“Ｐ”をそれぞれ表わし、日本標準時に基づく時刻情報（分、時、通算日、年、曜日など）を、毎分１周期６０秒の繰返しで送信している。ポジションマーカー信号“Ｐ０”乃至“Ｐ５”は、２進値信号“１”及び“０”の組合せにより表される、分、時、通算日、年、曜日等の時刻情報を分離する役割を持ち、それぞれ、毎分５９秒、９秒、１９秒、２９秒、３９秒、４９秒の開始と同期している。さらに、パルス幅２００ｍ秒の矩形波信号がマーカー信号“Ｍ”として、分の区切りを表わすためにゼロ秒（正分）の開始と同期して置かれている。この結果、１秒間隔で２つ連続したパルス幅２００ｍ秒の矩形波信号を用いて、後方のパルス幅２００秒の矩形波信号がマーカー信号“Ｍ”として毎分のゼロ秒（正分）の開始を表わす。
【００６４】
この標準電波受信部２２０は、その動作が上記制御部２１０により制御され、受信した標準電波信号から復号した標準時刻情報を該制御部２１０に供給する。
【００６５】
上記ＣＰＵ等から構成された上記制御部２１０は、その機能構成を図９のブロック図に示すように、水晶振動子２１７により得られる高精度のクロック信号に基づいて時間を計時して時刻情報を生成する外部側計時部２１０Ａ、及び、この外部側計時部２１０Ａにより生成した時刻情報に基づいてカレンダー情報を生成するカレンダー処理部２１０Ｂとして機能し、上記外部側計時部２１０Ａにより生成した時刻情報及び上記カレンダー処理部２１０Ｂにより生成したカレンダー情報を上記ＲＡＭ２１２に保存する。
【００６６】
また、上記制御部２１０は、上記本体接続用の雌コネクタ２１と上記外部接続用の雄コネクタ１５とを介して電気的に接続にされる上記レコーダ本体１０の上記制御部１１０との間でシリアル通信を行う本体接続インターフェース部２１０Ｃとして機能する。そして、上記制御部２１０は、上記本体接続インターフェース部２１０Ｃを介して上記レコーダ本体１０から設定情報などを取得して上記ＲＡＭ２１２に保存する。
【００６７】
また、上記制御部２１０は、上記レコーダ本体１０から取得した設定情報に基づいて、上記標準電波受信部２２０による標準電波の受信動作の開始／停止や受信周波数の選択を制御し、上記標準電波受信部２２０により標準電波を受信して取得する標準電波受信制御部２１０Ｄとして機能し、上記標準電波受信部２２０による標準電波の受信履歴情報を上記ＲＡＭ２１２に保存する。
【００６８】
また、上記制御部２１０は、上記標準電波受信部２２０により標準電波を受信して得られる標準時刻情報に基づいて、上記外部側計時部２１０Ａにより時間を計時して得られる時刻情報を補正する制御を行う時刻補正処理部２１０Ｅとして機能する。
【００６９】
そして、上記制御部２１０は、上記時刻補正処理部２１０Ｅにより標準時刻情報に基づいて補正された上記外部側計時部２１０Ａにより得られる時刻情報を補正時刻情報として上記本体接続インターフェース部２１０Ｃを介して上記レコーダ本体１０に供給する。
【００７０】
また、上記制御部２１０は、上記標準電波受信部２２０による標準電波の受信履歴情報を上記本体接続インターフェース部２１０Ｃを介して上記レコーダ本体１０に供給する。
【００７１】
また、この外部ユニット２０の電源回路２３０は、内蔵電源として電気二重層コンデンサや二次電池などを用いた蓄電可能な蓄電手段を充電する充電回路２３０Ａを備える。この充電回路２３０Ａは、上記タイムレコーダ本体１０に装着された状態で上記タイムレコーダ本体１０に設けられている電力供給手段すなわち上記電源回路１５０から供給される電力により蓄電手段を充電する。
【００７２】
この外部ユニット２０は、上記タイムレコーダ本体１０に装着された状態では、上記タイムレコーダ本体１０に設けられている電力供給手段すなわち上記電源回路１５０から供給される電力により駆動され、上記タイムレコーダ本体１０から取り外された状態では、上記蓄電手段に蓄電されている電力を駆動電源とする。
【００７３】
このような構成のタイムレコーダ１００において、上記外部ユニット２０は、上記タイムレコーダ本体１０に装着された状態では、上記タイムレコーダ本体１０に設けられている電力供給手段すなわち上記電源回路１５０から供給される電力により駆動されるとともに、上記電源回路１５０から供給される電力により上記電源回路２３０の蓄電手段が充電される。
【００７４】
そして、上記外部ユニット２０は、上記タイムレコーダ本体１０から取り外されると、上記蓄電手段に蓄電されている電力を駆動電源として動作する。また、上記外部ユニット２０に備えられた上記電源検知部２４０は、上記外部ユニット２０が上記タイムレコーダ本体１０から取り外されて、上記タイムレコーダ本体１０側の電源回路１５０から電源が供給されなくなったことを検知する。
【００７５】
ここでは、上記電源検出部２４０を上記タイムレコーダ本体１０から外部ユニット２０が取り外されたことを検知する取り外し検知手段として用い、上記外部ユニット２０の制御部２１０は、上記取り外し検知手段による検知出力、すなわち、上記電源検出部２４０による検知出力に基づいて、上記外部ユニット２０が上記タイムレコーダ本体１０から取り外されてから所定時間経過後に上記標準電波受信部２２０による標準電波の受信動作を開始する制御を行う。
【００７６】
そして、上記外部ユニット２０の制御部２１０は、図１０のフローチャートに示す手順に従って、上記標準電波受信部２２０による標準電波の受信動作を制御する。
【００７７】
すなわち、上記制御部２１０は、上記標準電波受信部２２０による標準電波の受信動作の開始時に、上記標準電波受信部２２０により受信した標準電波から読み取られるタイムコードの状態から、上記標準電波受信部２２０で受信される標準電波の強度を判定する（ステップＳ１）。
【００７８】
上記標準電波受信部２２０の時刻電波受信回路２２２で受信した標準電波信号を受信検波することにより得られる毎秒の開始に同期した１秒周期の矩形波信号により示される標準時刻を復号しているので、電波が弱くノイズの影響が大きい場合には上記矩形波信号に１秒周期内での複数のエッジが生じるので、上記制御部２１０は、上記エッジの数が多い場合、あるいは１秒周期内でエッジが検出できない場合に、上記標準電波受信部２２０で受信される標準電波が弱いと判定する。
【００７９】
そして、上記制御部２１０は、受信される標準電波の強度が弱い場合には、当該外部ユニット２０を上記外部側計時部２１０Ａによる歩進動作のみを行う低消費電力モードとし（ステップＳ２）、所定時間経過したか否かの判定を行い（ステップＳ３）、低消費電力モードで所定時間、例えば５分間待機したのちに、上記時刻電波受信回路２２２による標準電波の受信動作を再開して、上記ステップＳ１に戻って、上記標準電波受信部２２０で受信される標準電波の強度を判定する。
【００８０】
また、上記制御部２１０は、上記ステップＳ１の標準電波の強度の判定処理において、上記標準電波受信部２２０で受信される標準電波の強度が強いと判定した場合には、上記標準電波受信部２２０による標準電波の受信処理を行い（ステップＳ４）、標準電波の受信に成功したか否かを判定する（ステップＳ５）。
【００８１】
そして、上記制御部２１０は、上記標準電波受信部２２０による標準電波の受信処理に失敗した場合には、上記ステップＳ１に戻って、上記標準電波受信部２２０で受信される標準電波の強度を再度判定し、また、上記標準電波受信部２２０による標準電波の受信処理に失敗した場合には、当該外部ユニット２０を低消費電力モードとし待機状態になる。
【００８２】
なお、標準電波の受信動作の開始時に行う上記ステップＳ１の標準電波の強度の判定処理は省略しても良い。また、上記ステップＳ５の標準電波の受信に成功したか否かの判定処理において標準電波の受信に失敗したと判断した場合に上記ステップＳ２に移って外部ユニット２０を低消費電力モードとして所定時間待機したのちに、上記時刻電波受信回路２２２による標準電波の受信動作を再開するようにしても良い。また、再度標準電波の受信動作を行う場合、上記ステップＳ１の標準電波の強度の判定処理は省略しても良い。
【００８３】
ここで、上記標準電波受信部２２０が標準電波の受信動作中であることを示す報知手段としてＬＥＤ発光部２５０を備えており、上記外部ユニット２０の制御部２１０は、図２に示す上記標準電波受信部２２０による標準電波の受信動作中に上記ＬＥＤ発光部２５０の第１の発光部２５１Ａを点灯させ、上記標準電波受信部２２０による標準電波の受信処理に成功した場合には第２の発光部２５１Ｂを点灯させ、上記標準電波受信部２２０による標準電波の受信処理に失敗した場合には第３の発光部２５１Ｃを点灯させる制御を行う報知制御部２１０Ｆの機能を有している。
【００８４】
そして、このタイムレコーダ１００では、上記タイムレコーダ本体の１０の制御部１１０は、上記外部ユニット２０において上記標準電波受信部２２０により標準電波を受信して得られた上記標準時刻情報に基づいて上記時刻補正処理部２１０Ｅにより補正した上記外部側計時部２１０Ａにより時間を計時して得られる時刻情報を、上記外部接続インターフェース部１１Ｆを介して上記外部ユニット２０から補正用の時刻情報として取得し、上記本体側計時部１１０Ａにより時間を計時して得られる時刻情報を上記時刻補正処理部１１０Ｇにより補正する。
【００８５】
ここで、上記タイムレコーダ本体の１０の制御部１１０は、図１１のフローチャートに示す手順に従って、上記外部ユニット２０の動作を制御する。
【００８６】
上記タイムレコーダ１００において、上記標準電波受信手段により得られる時刻情報が、上記タイムレコーダ本体１０の時刻情報を補正処理を行うのに有効か否かの判断を行う判定手段を有している。本実施例では、上記タイムレコーダ本体１０に上記外部ユニット２０が装着されると、先ず、上記タイムレコーダ本体１０と外部ユニット２０との間で接続確認処理を行い（ステップＳ１１）、その後に、上記タイムレコーダ本体の１０の制御部１１０は、状態取得コマンドを送って、装着された外部ユニット２０が標準電波の受信に成功している否か、あるいは、受信動作中等、上記外部ユニット２０の状態を示す情報を取得する（ステップＳ１２）。
【００８７】
次に、上記タイムレコーダ本体１０の制御部１１０は、上記外部ユニット２０から取得した状態情報に基づいて、上記装着された外部ユニット２０が標準電波の受信に成功している否かを判断し（ステップＳ１３）、標準電波の受信に成功している場合には、時計要求コマンドを送って、上記外部ユニット２０において上記標準電波受信部２２０により標準電波を受信して得られた上記標準時刻情報に基づいて上記時刻補正処理部２１０Ｅにより補正した上記外部側計時部２１０Ａにより時間を計時して得られる現在時刻情報を、上記外部接続インターフェース部１１０Ｆを介して上記外部ユニット２０から補正用の時刻情報として取得する（ステップＳ１４）。
【００８８】
次に、上記タイムレコーダ本体の１０の制御部１１０は、上記外部ユニット２０から取得した現在時刻情報すなわち補正用の時刻情報と上記本体側計時部１１０Ａにより時間を計時して得られる現在時刻情報との間に設定時間以上の差があるか否かを判定する（ステップＳ１５）。
【００８９】
このステップＳ１５の判定処理において、上記補正用の時刻情報と上記現在時刻情報との間に設定時間以上の差がなかった場合には、直ちにステップＳ２０に移って、上記ステップＳ１４において取得した補正用の時刻情報を用いて、上記時刻補正処理部１１０Ｇにより、上記本体側計時部１１０Ａにより時間を計時して得られる時刻情報を補正する。
【００９０】
ここで、上記タイムレコーダ１００において、上記外部ユニット２０に備えられた上記電源検出部２４０は、当該外部ユニット２０が少なくとも低消費電力モードで動作可能な駆動電源を検知するものとし、上記外部ユニット２０の制御部２１０は、上記電源検出部２４０による検知出力に基づいて、上記外部本体側計時部２１０Ａにより得られる時刻情報が上記タイムレコーダ本体１０の上記本体側計時部１１０Ａにより得られる時刻情報の補正処理に有効か否かを示すフラグを設定するものとすることができる。
【００９１】
上記タイムレコーダ本体の１０の制御部１１０は、上記ステップＳ１３の判定処理において、上記フラグにより補正用の時刻情報の有効性を判断することにより、上記外部ユニット２０が低消費電力モードで待機状態を維持できなかった場合に、誤った補正用の時刻情報を用いて時刻情報が補正されてしまうのを防止ことができる。
【００９２】
また、上記ステップＳ１５の判定処理において、上記補正用の時刻情報と上記現在時刻情報との間に設定時間以上の差があった場合には、上記タイムレコーダ本体の１０の制御部１１０は、時刻補正の確認画面を上記表示部１３０に表示して、上記操作部１４０の操作による時刻補正を行うか否かの入力を受け付け、上記操作部１４０の操作入力に基づいて、時刻補正を行うか否かを判定する（ステップＳ１６）。
【００９３】
このステップＳ１６の判定処理により、上記タイムレコーダ本体１０の制御部１１０は、上記補正用の時刻情報に誤りがあり、上記補正用の時刻情報と上記現在時刻情報との間に設定時間以上の差があった場合に、上記本体側計時部１１０Ａにより時間を計時して得られる時刻情報を補正しないようにすることができる。なお、時刻差に拘わらず時刻補正を行うようにしてもよい。
【００９４】
そして、時刻補正を行う場合には、上記タイムレコーダ本体の１０の制御部１１０は、上記補正用の時刻情報と上記現在時刻情報は日を跨いでいるか否かを判定する（ステップＳ１７）。
【００９５】
このステップＳ１７の判定処理において、上記補正用の時刻情報と上記現在時刻情報が日を跨いでない場合には、時計要求コマンドを送って、上記外部接続インターフェース部１１０Ｆを介して上記外部ユニット２０から補正用の時刻情報を再度取得し（ステップＳ１９）、取得した補正用の時刻情報を用いて、上記本体側計時部１１０Ａにより時間を計時して得られる時刻情報を上記時刻補正処理部１１０Ｇにより補正し（ステップＳ２０）、その後、ユニット動作コマンドを送って、取り外し後の外部ユニット２０の動作モードを設定する（ステップＳ２２）。
【００９６】
また、上記ステップＳ１７の判定処理において、上記補正用の時刻情報と上記現在時刻情報が日を跨いでいた場合には、一定時間以上待機した後に、上記ステップＳ１９に移って、上記外部ユニット２０から補正用の時刻情報を再度取得し、取得した補正用の時刻情報を用いて、上記時刻補正処理部１１０Ｇにより、上記本体側計時部１１０Ａにより時間を計時して得られる時刻情報を補正する。
【００９７】
すなわち、上記補正用の時刻情報と上記現在時刻情報が日を跨いでいる場合に、そのまま時刻補正を行ってしまうと、日付変更時刻を跨いで、前日に逆戻りする場合、又は次の日になってしまう場合は、上記タイムレコーダ本体１０の日付変更時刻に伴う処理が二重処理あるいは処理されない場合が生じるため、一定時間経過後に補正用の時刻情報を再度取得して、時刻補正処理を行う。なお、上記タイムレコーダ本体１０の処理構造によっては、この処理はなくてもよい。
【００９８】
また、上記タイムレコーダ本体１０の制御部１１０は、上記ステップＳ１３の判定処理の結果、上記装着された外部ユニット２０が標準電波の受信に失敗していた場合、あるいは、上記ステップＳ１３の判定処理の結果、時刻補正を行わない場合には、年月日設定コマンドや時計設定コマンドを送って上記外部ユニット２０の日時設定を行ってから（ステップＳ２１）、上記タイムレコーダ本体の１０の制御部１１０は、ユニット動作コマンドを送って、取り外し後の外部ユニット２０の動作モードを設定する（ステップＳ２２）。
【００９９】
上記ステップＳ２１の日時設定処理により、上記タイムレコーダ本体の１０と上記外部ユニット２０の各時刻情報及びカレンダー情報を一致させ同期を取ることができる。
【０１００】
ここで、上記ステップＳ１１の接続確認処理は、図１２のフローチャートに手順に従って行われる。
【０１０１】
すなわち、接続確認処理は、先ず、上記外部ユニット２０の制御部２１０が上記タイムレコーダ本体１０に装着されたことを上記電源検出部２４０による検知出力に基づいて検知し、上記タイムレコーダ本体１０に信号Ａを出力し（ステップＳ３１）、上記タイムレコーダ本体１０の制御部１１０が上記外部ユニット２０から出力された上記信号Ａを検知して、上記外部ユニット２０に信号Ｂを出力する（ステップＳ３２）。
【０１０２】
そして、上記外部ユニット２０の制御部２１０は、上記タイムレコーダ本体１０から出力された上記信号Ｂを検知して、データ送受信の準備を行う（ステップＳ３３）。
【０１０３】
次に、上記外部ユニット２０の制御部２１０は、上記外部ユニット２０の制御部２１０にデータ送受信の準備ができたか否かを応答があるまで繰り返し問い合わせ、応答があったら接続確認処理を完了とする。
【０１０４】
すなわち、このような構成の上記タイムレコーダ１００のタイムレコーダ本体１０において、上記制御部１１０の本体側計時部１１０Ａは、時間を計時する本体側計時手段として機能し、また、上記表示制御部１１０Ｄ及び表示部１３０は、時刻情報を表示する時刻表示手段として機能している。また、上記印字制御部１１０Ｅ及び時刻印字関連機能部１２０は、上記時刻表示手段により表示されている時刻情報をカード挿入口１１から挿入されたタイムカード３０に記録する記録手段として機能している。また、タイムレコーダ本体１０の電源回路１５０は、上記外部ユニット２０が到着された状態で該外部ユニット２０に電力を供給する電力供給手段として機能している。また、上記外部接続インターフェース１１０Ｆは、時刻情報を少なくとも含むデータを外部ユニット２０との間で送受信する外部接続インターフェース手段として機能している。さらに、上記時刻補正処理部１１０Ｇは、上記外部ユニット２０から補正用の時刻情報を取得して上記本体側計時部１１０Ａにより時間を計時して得られる時刻情報を補正する本体側制御手段として機能している。
【０１０５】
また、上記タイムレコーダ本体１０に対して着脱自在な外部ユニット２０において、上記標準電波受信部２２０は、標準電波の受信動作を行う標準電波受信手段として機能し、上記制御部２１０の外部側計時部２１０Ａは、時間を計時する外部側計時手段として機能し、また、上記制御部２１０の時刻補正処理部２１０Ｅは、上記標準電波受信手段により標準電波を受信して得られる標準時刻情報に基づいて、上記外部側計時手段により時間を計時して得られる時刻情報を補正する制御を行う外部側制御手段として機能している。
【０１０６】
また、上記タイムレコーダ１００において、上記外部ユニット２０の電源回路２３０は、上記タイムレコーダ本体１０に装着された状態で上記電力供給手段すなわち上記タイムレコーダ本体１０の電源回路１５０から供給される電力により蓄電手段を充電する充電手段として機能する充電回路２３０Ａを備えており、また、上記外部ユニット２０の電源検知部２４０は、上記タイムレコーダ本体から取り外されたことを検知する取り外し検知手段として機能している。
【０１０７】
上記外部ユニット２０は、上記タイムレコーダ本体１０から取り外された状態では、上記取り外し検知手段すなわち電源検知部２４０による検出出力に基づいて、上記蓄電手段に蓄電されている電力を駆動電源として、上記カレンダー情報と時刻情報に基づいて設定された動作モードで動作し、上記カレンダー情報と時刻情報に基づいて上記標準電波受信部２２０による標準電波の受信動作を開始して標準時刻情報を取得し、取得した標準時刻情報を用いて上記外部側計時部２１０Ａにより時間を計時して得られる時刻情報を上記時刻補正処理部２１０Ｅにより補正する。
【０１０８】
そして、上記外部ユニット２０は、上記タイムレコーダ本体１０に装着されると、上記タイムレコーダ本体１０の電源回路１５０から供給される電力を駆動電源として動作し、上記設定情報生成部１１０Ｃにより生成された動作モードの設定情報と上記本体側計時部１１０Ａ及びカレンダー処理部１１０Ｂにより得られる時刻情報とカレンダー情報を上記タイムレコーダ本体１０から取得し、取得した動作モードの設定情報と時刻情報とカレンダー情報に基づいて動作モードを設定し、上記標準電波受信部２２０により標準電波を受信して得られた標準時刻情報に基づいて、上記時刻補正処理部２１０Ｅにより補正した上記外部側計時部２１０Ａにより時間を計時して得られる時刻情報を、上記本体接続インターフェース部１１０Ｆと外部接続インターフェース部２１０Ｃを介して上記タイムレコーダ本体１０に送る。
【０１０９】
そして、上記タイムレコーダ本体１０の時刻補正処理部１１０Ｇは、上記外部ユニット２０において上記標準電波受信部２２０により標準電波を受信して得られた上記標準時刻情報に基づいて上記外部ユニット２０の時刻補正処理部２１０Ｅにより補正した上記外部側計時部２１０Ａにより時間を計時して得られる時刻情報を、上記タイムレコーダ本体１０から上記本体接続インターフェース部２１０Ｃと上記外部接続インターフェース部１１０Ｆを介して補正用の時刻情報として取得し、取得した補正用の時刻情報で上記タイムレコーダ本体１０の本体側計時部１１０Ａにより時間を計時して得られる時刻情報を補正する。
【０１１０】
このように、このタイムレコーダ１００では、タイムレコーダ本体１０の設置場所に拘わらず受信ユニット２０のみを取り外して良好な電波受信環境を探して標準電波を受信し、時刻補正を容易に行うことができ、しかも、タイムレコーダ本体１０は必要な時刻表示機能、時計歩進機能や時刻印字機能等が上記受信ユニット２０の着脱により損なわれることがない。
【０１１１】
ここで、上記タイムレコーダ本体１０と上記外部ユニット２０は、それぞれでの個別照合を行うことなく、上記インターフェース手段と同じ、若しくは互換性を有する上記インターフェース手段を有するタイムレコーダ本体の時刻補正機能を有効にしておくことにより、１対複数の対応が可能になる。
【０１１２】
また、上記外部ユニット２０はタイムレコーダに限定されず、上記インターフェース手段と同じ、若しくは互換性を有する上記インターフェース手段を有しているプリンタ装置等の時刻情報を持つ電子機器の時刻補正に用いても良い。
【０１１３】
上記タイムレコーダ１００では、時刻印字制御部１１０Ｅと時刻印字関連機能部１２０によりタイムカード３０に時刻情報を印字するが、上記タイムカード３０をＩＤ付きのＩＣカードとし、時刻印字制御部１１０Ｅは、ＩＤを読み取って、勤務種、日付、時刻などをＩＤ記憶するＩＣカードのリード・ライターの機能を有するものとすることもできる。
【０１１４】
この外部ユニット２０では、上記報知制御部２１０ＦによりＬＥＤ発光部２５０の各発光部２５１Ａ〜２５１Ｃの点灯を制御して上記標準電波受信部２２０が標準電波の受信動作中であることを示すようにしたが、上記外部ユニット２０は、例えば、上記タイムレコーダ本体１０の上記設定情報生成部１１０Ｃにより生成により生成された動作モードが設定されることにより、上記タイムレコーダ本体１０から取り外された状態では、上記取り外し検知手段すなわち電源検知部２４０による検出出力に基づいて、上記蓄電手段に蓄電されている電力を駆動電源として、上記タイムレコーダ本体１０から取り外されてから任意の所定時間経過後に上記標準電波受信部２２０による標準電波の受信動作を開始し、上記報知制御部２１０ＦによりＬＥＤ発光部２５０を制御して上記標準電波受信部２２０が標準電波の受信動作中であることを受信感度とともに示し、さらに任意の所定時間経過後に上記標準電波受信部２２０による受信動作を終了して、上記外部側計時部２１０Ｂによる歩進動作のみを行う低消費電力モードで待機するようにしてもよい。
【０１１５】
この場合、上記ＬＥＤ発光部２５０には、例えば受信感度表示用の発光部が設けられる。
【０１１６】
本実施例における図２に示す上記標準電波受信部２２０が標準電波の受信動作中に、上記ＬＥＤ発光部２５０の第1発光部２５１Ａを標準電波の受信強度が感度が強い状態を示すために点灯させ、第２発光部２５１Ｂを標準電波の受信強度が弱い状態を示すために点灯させ、第３発光部２５１Ｃを標準電波の受信に成功したことを示すために点灯させる制御を行うようにしても良い。
【０１１７】
また、このタイムレコーダ１００では、上記ステップＳ２２において、上記ユニット動作コマンドにより外部ユニット２０に設定される動作モードとして、お勧めモード、常時受信モード、休日受信モード、拡張モード等があり、また、拡張モードでは、拡張コマンドを送って初回受信時間、２回目以降の受信時間や受信間隔等を設定することができる。
【０１１８】
このタイムレコーダ１００において、上記お勧めモードでは、例えば図１３に示すように、金曜日の１７：００に上記外部ユニット２０が上記タイムレコーダ本体１０から取り外されて月曜日の１０：００に上記タイムレコーダ本体１０に装着されるまでの間に、複数回の受信動作を行うことを想定している。
【０１１９】
すなわち、上記外部ユニット２０の制御部２１０は、お勧めモードが設定された場合、上記標準電波受信制御部２１０Ｄにより上記標準電波受信部２２０の動作を制御して、金曜日の１７：００に上記外部ユニット２０が上記タイムレコーダ本体１０から取り外されると、上記タイムレコーダ本体１０から取り外されてから３０分は上記標準電波受信部２２０による標準電波の受信動作を継続し、上記報知制御部２１０ＦによりＬＥＤ発光部２５０を制御して、上記標準電波受信部２２０が標準電波の受信動作中であることを示す第１の発光部２５１Ａを点滅させる。
【０１２０】
そして、上記外部ユニット２０の制御部２１０は、上記タイムレコーダ本体１０から取り外されてから３０分経過後は、上記標準電波受信制御部２１０Ｄにより上記標準電波受信部２２０による標準電波の受信動作を停止させるとともに、上記記報知制御部２１０ＦによりＬＥＤ発光部２５０を消灯させた状態で、上記外部側計時部２１０Ａによる歩進動作のみを行う低消費電力モードで土曜日の３：３０になるまで待機する。
【０１２１】
また、上記外部ユニット２０の制御部２１０は、土曜日の３：３０になったら、上記標準電波受信制御部２１０Ｄにより上記標準電波受信部２２０による標準電波の受信動作を１０分間だけ行う。この受信動作では、上記記報知制御部２１０ＦによりＬＥＤ発光部２５０を消灯させておく。
【０１２２】
そして、上記外部ユニット２０の制御部２１０は、１０分経過後の土曜日の３：４０になったら、上記標準電波受信制御部２１０Ｄにより上記標準電波受信部２２０による標準電波の受信動作を停止させ、上記記報知制御部２１０ＦによりＬＥＤ発光部２５０を消灯させた状態で、上記外部側計時部２１０Ａによる歩進動作のみを行う低消費電力モードで土曜日の１２：３０になるまで待機する。
【０１２３】
また、上記外部ユニット２０の制御部２１０は、土曜日の１２：３０になったら、上記標準電波受信制御部２１０Ｄにより上記標準電波受信部２２０による標準電波の受信動作を１０分間だけ行う。この受信動作では、上記記報知制御部２１０ＦによりＬＥＤ発光部２５０を消灯させておく。
【０１２４】
そして、上記外部ユニット２０の制御部２１０は、１０分経過後の土曜日の１２：４０になったら、上記標準電波受信制御部２１０Ｄにより上記標準電波受信部２２０による標準電波の受信動作を停止させ、上記記報知制御部２１０ＦによりＬＥＤ発光部２５０を消灯させた状態で、上記外部側計時部２１０Ａによる歩進動作のみを行う低消費電力モードで日曜日の３：３０になるまで待機する。
【０１２５】
また、上記外部ユニット２０の制御部２１０は、日曜日の３：３０になったら、上記標準電波受信制御部２１０Ｄにより上記標準電波受信部２２０による標準電波の受信動作を１０分間だけ行う。この受信動作では、上記記報知制御部２１０ＦによりＬＥＤ発光部２５０を消灯させておく。
【０１２６】
そして、上記外部ユニット２０の制御部２１０は、１０分経過後の日曜日の３：４０になったら、上記標準電波受信制御部２１０Ｄにより上記標準電波受信部２２０による標準電波の受信動作を停止させ、上記記報知制御部２１０ＦによりＬＥＤ発光部２５０を消灯させた状態で、上記外部側計時部２１０Ａによる歩進動作のみを行う低消費電力モードで土曜日の１２：３０になるまで待機する。
【０１２７】
また、上記外部ユニット２０の制御部２１０は、日曜日の１２：３０になったら、上記標準電波受信制御部２１０Ｄにより上記標準電波受信部２２０による標準電波の受信動作を１０分間だけ行う。この受信動作では、上記記報知制御部２１０ＦによりＬＥＤ発光部２５０を消灯させておく。
【０１２８】
そして、上記外部ユニット２０の制御部２１０は、１０分経過後の日曜日の１２：４０になったら、上記標準電波受信制御部２１０Ｄにより上記標準電波受信部２２０による標準電波の受信動作を停止させ、上記記報知制御部２１０ＦによりＬＥＤ発光部２５０を消灯させた状態で、上記外部側計時部２１０Ａによる歩進動作のみを行う低消費電力モードで月曜日の３：３０になるまで待機する。
【０１２９】
上記外部ユニット２０の制御部２１０は、上記標準電波受信部２２０による各受信動作の何れかで標準電波の受信に成功した場合には、受信モードに移行することなく、上記外部側計時部２１０Ａによる歩進動作のみを行う低消費電力モードで待機する。
【０１３０】
なお、上記外部ユニット２０は、上記タイムレコーダ本体１０から取り外された時に、上記外部ユニット２０の電源回路２３の 蓄電手段が満充電になっていれば、上記外部側計時部２１０Ａによる歩進動作のみを行う低消費電力モードで６５時間は待機状態を維持し、上記ＲＡＭ２１２に各種データを保持し続けることができる。
【０１３１】
また、このタイムレコーダ１００において、上記外部ユニット２０の制御部２１０は、常時受信モードが設定された場合、上記外部ユニット２０が上記タイムレコーダ本体１０から取り外されると、上記標準電波受信制御部２１０Ｄにより上記標準電波受信部２２０の動作を制御して、上記タイムレコーダ本体１０から取り外されてから１００分は上記標準電波受信部２２０による標準電波の受信動作を継続し、上記報知制御部２１０ＦによりＬＥＤ発光部２５０を制御して、上記標準電波受信部２２０が標準電波の受信動作中であることを示す第１の発光部２５１Ａを点滅させる。
【０１３２】
この常時受信モードでは、上記タイムレコーダ本体１０から取り外された時に、上記外部ユニット２０の電源回路２３０の 蓄電手段に充電されていた電力を駆動電源として、電源のある限り上記標準電波受信部２２０による標準電波の受信動作を継続する。
【０１３３】
さらに、このタイムレコーダ１００において、上記外部ユニット２０の制御部２１０は、休日受信モードが設定された場合、例えば図１４のフローチャートに示す手順に従って、上記標準電波受信部２２０による標準電波の受信動作を複数回行う。
【０１３４】
すなわち、上記記外部ユニット２０の制御部２１０は、休日受信モードが設定された場合、先ず、上記タイムレコーダ本体１０から上記外部ユニット２０が取り外されると、先ず、指定時刻であるか否かを判定する（ステップＳ４１）。
【０１３５】
そして、上記外部ユニット２０の制御部２１０は、指定時刻でない場合には、上記外部側計時部２１０Ａによる歩進動作のみを行う低消費電力モードとし（ステップＳ４２）、設定時間を経過した否かの判定処理（ステップＳ４３）を繰り返し、設定時間経過後に上記ステップＳ４１に戻って、指定時刻であるか否かを再度判定する。
【０１３６】
また、上記外部ユニット２０の制御部２１０は、指定時刻である場合には、上記標準電波受信部２２０による標準電波の受信処理を行い（ステップＳ４４）、標準電波の受信に成功したか否かを判定する（ステップＳ４５）。
【０１３７】
そして、上記外部ユニット２０の制御部２１０は、標準電波の受信に失敗した場合には、上記ステップＳ４１に戻って、指定時刻であるか否かを再度判定し、標準電波の受信に成功した場合には、上記外部側計時部２１０Ａによる歩進動作のみを行う低消費電力モードで待機する状態とし休日受信モードの処理を終了する。
【０１３８】
なお、このタイムレコーダ１００において、上記外部ユニット２０の制御部２１０は、上記電源検出部２４０を上記タイムレコーダ本体１０から外部ユニット２０が取り外されたことを検知する取り外し検知手段として用い、上記電源検出部２４０による検知出力に基づいて、上記外部ユニット２０が上記タイムレコーダ本体１０から取り外されてから、移動の考慮した所定時間を経過した後に標準電波の受信処理を行う。
【０１３９】
上記タイムレコーダ本体１０から外部ユニット２０が取り外され直後の標準電波の受信処理では、上記外部ユニット２０の制御部２１０は、上記標準電波受信部２２０による標準電波の受信動作を開始させるとともに、上記報知制御部２１０ＦによりＬＥＤ発光部２５０を制御して、上記標準電波受信部２２０が標準電波の受信動作中であることを示す第１の発光部２５１Ａを点滅させ、例えば５分経過後に上記標準電波受信部２２０による標準電波の受信動作を停止するとともに、上記報知制御部２１０ＦによりＬＥＤ発光部２５０を制御して、上記第１の発光部２５１Ａを消灯させる。
【０１４０】
ここで、休日受信モードでは、例えば、上記標準電波の受信を開始する起点の指定時刻として土曜日の０：３０が設定され、設定時間として例えば６時間が設定される。
【０１４１】
そして、上記外部ユニット２０の制御部２１０は、上記タイムレコーダ本体１０から外部ユニット２０が取り外された直後における標準電波の受信処理に失敗した場合に、上記指定時刻になるまで、上記ステップＳ４１からステップＳ４３を繰り返すことにより、上記外部側計時部２１０Ａによる歩進動作のみを行う低消費電力モードで待機し、上記指定時刻すなわち土曜日の０：３０なったら、上記ステップＳ４４において標準電波の受信処理を行う。
【０１４２】
この休日受信モードにおける標準電波の受信処理では、上記外部ユニット２０の制御部２１０は、上記標準電波受信部２２０による標準電波の受信動作を開始し、１０分経過後に上記標準電波受信部２２０による標準電波の受信動作を停止させる。また、上記第１の発光部２５１Ａを消灯状態としておく。
【０１４３】
そして、上記外部ユニット２０の制御部２１０は、この休日受信モードにおける標準電波の受信処理では、標準電波の受信処理に失敗した場合に、上記ステップＳ４１からステップＳ４３を繰り返すことにより、上記外部側計時部２１０Ａによる歩進動作のみを行う低消費電力モードで待機し、上記設定時間すなわち６時間おきに１０分間だけ継続して標準電波を受信する処理を繰り返し行う。
【０１４４】
上記外部ユニット２０の制御部２１０は、上記標準電波受信部２２０による各受信動作の何れかで標準電波の受信に成功した場合には、受信モードに移行することなく、上記外部側計時部２１０Ａによる歩進動作のみを行う低消費電力モードで待機する。
【０１４５】
なお、上記休日受信モードにおける指定時刻には、上記カレンダー情報により示される休日の日付もしくは曜日を含むものとすることができ、また、使用者の休業日などを含むこともできる。
【０１４６】
また、常時受信モードとして、上記タイムレコーダ１００を設置する際に、設置場所の付近で標準電波の受信強度の強い場所を探すために常に受信を行い、受信感度を示すよう発光部を制御するモードを有しても良い。具体的には、複数階の事務所や工場等のような場所で上記タイムレコーダ１００を導入した際に、事務所や工場等の敷地内で標準電波の受信し易い場所を探知する目的で使用できる。
【０１４７】
さらに、上記タイムレコーダ１００は受信履歴参照モードとして、上記外部ユニット２０の制御部２１０は、上記標準電波受信部２２０による標準電波の受信動作を行った結果の履歴情報を保存しておき、上記履歴情報を基に受信動作を制御することにより、例えば、上記標準時刻情報の取得に成功した周波数での受信動作を優先する制御や、上記標準時刻情報の取得に成功した曜日又は時間帯又はその両方での受信動作を優先する制御を行うことができる。また前述の周波数、受信に成功した曜日、時間帯の履歴情報を複数組合わせて受信制御を行うようにしても良い。
【０１４８】
これらの複数の動作モードの切り替えを行う他の方法として、タイムレコーダ本体１０側、若しくは外部ユニット２０側に、例えばスライドスイッチのような選択手段を設けることで達成しても良い。
【０１４９】
ここで、上記タイムレコーダ１００では、タイムレコーダ本体１０に対して外部ユニット２０を着脱自在とし、外部接続用の雄コネクタ１５と本体接続用の雌コネクタ２１とを電気的に接続することにより、外部接続インターフェース部１１０Ｆと本体接続インターフェース部２１０Ｃを介してシリアル通信を行い、外部ユニット２０の制御部２１０とタイムレコーダ本体１０の制御部１１０との間でカレンダー情報、時刻情報、電波受信履歴情報、設定情報などの授受を行うようにしたが、上記外部接続インターフェース部１１０Ｆと本体接続インターフェース部２１０Ｃは、電波や光を通信媒体とする非接触の通信インターフェース、あるいは、外部ユニット２０の制御部２１０とレコーダ本体１０の制御部１１０との間を有線接続するインターフェースであってもよい。
【０１５０】
また本実施例では、上記タイムレコーダ１００では、外部ユニット２０の内蔵電源として電源回路２３０は、電気二重層コンデンサや二次電池などを用いた蓄電可能な蓄電手段を充電する充電回路２３０Ａを備え、上記タイムレコーダ本体１０に装着された状態で上記タイムレコーダ本体１０に設けられている電力供給手段すなわち上記電源回路１５０から供給される電力により蓄電手段を充電するものとしたが、電力供給元はタイムレコーダ本体１０でなく、外部電源としてＡＣアダプタや充電ユニットなどであってもよく、例えば、窓際に置いたクレドールに外部ユニット２０を装着して充電するようにすることもできる。また、上記外部ユニット２０の電源回路２３０は、一次電池を電源とするものであってもよい。
【０１５１】
また、上記タイムレコーダ１００では、上記報知制御部２１０ＦによりＬＥＤ発光部２５０を制御して、上記標準電波受信部２２０が標準電波の受信動作中であることユーザに知らせるようにしたが、上記ＬＥＤ表示部２５０によるＬＥＤの点灯／点滅／色変化に替えて、ＬＣＤによる表示や、ブザーによる音声により報知するようにしてもよい。
【０１５２】
なお、上記タイムレコーダ本体１０に外部ユニット２０が装着されている状態では、上記外部ユニット２０は、自動受信モードが設定され、正時＋３０分を受信時刻として１時間毎に１日に２４回、標準電波受信部２２０により標準電波の受信動作を行い、正常受信後に上記タイムレコーダ本体１０に時刻情報を送信する。なお、受信中に、上記タイムレコーダ本体１０の表示部１３０の表示内容に変化はない。また、受信周波数は、前回の受信成功周波数を優先とする。
【０１５３】
上記タイムレコーダ本体１０は、上記外部ユニット２０から上記本体接続インターフェース部２１０Ｃと上記外部接続インターフェース部１１０Ｆを介して取得した補正用の時刻情報で、上記本体側計時部１１０Ａにより時間を計時して得られる時刻情報が所定期間内に補正できたか否かを例えば上記表示部１３０に表示して報知するものとすることができる。これにより、上記タイムレコーダ本体１０に外部ユニット２０が装着されたままの状態で使用しているとき、時刻情報が補正できている旨の表示がなければ、そのタイムレコーダの設置場所における標準電波の強度が弱い為、外部ユニット２０を取り外して標準電波の強度が強い場所に持っていき、受信をすることを使用者に促すことができる。
【０１５４】
また、上記タイムレコーダ本体１０に外部ユニット２０が装着されている状態で強制受信モードが設定された場合、上記外部ユニット２０は、直ちに標準電波受信部２２０により標準電波の受信動作を行い、正常受信後に上記タイムレコーダ本体１０に時刻情報を送信する。なお、受信中に、上記タイムレコーダ本体１０の表示部１３０の表示内容を変化させる。ただし、強制受信中にキー操作やカード挿入があった時には、キー操作入力の受け付けや打刻の処理を優先し、処理終了後に強制受信モードに戻る。表示部１３０の表示も同様にキー操作入力の受け付けや打刻の処理を優先する。
【０１５５】
また、外部ユニット２０の制御部２１０は、上記標準電波受信部２２０による標準電波の受信動作において４０ＫＨｚと６０ＫＨｚの周波数選択を数秒毎に交互に切り替えて受信を行う。周波数切替え直後は前周波数強度が影響して正確な受信が出来ない事がある為に周波数切替え直後一定期間のデータは読み飛ばして、その後のデータの読み取り処理を行う。これにより、外部ユニット２０を取り外して標準電波の強度が強い場所を探す際に、使用環境が日本国内の東西にかかわらず４０ＫＨｚと６０ＫＨｚのうち電波状況が良い方の受信感度をリアルタイムに示すことができる。
【０１５６】
また、１台の上記外部ユニット２０により、上記タイムレコーダ１００やその他の電子機器の時刻補正を行うために、上記記外部ユニット２０が一度受信した標準時刻電波から得た時刻情報を、メモリ等の記憶手段に所定期間保持するようにしても良い。この際、記憶手段保持されている時刻情報は新たな標準電波を受信し、時刻情報を得ることができたときは上書きするようにしても良い。
【０１５７】
また、標準電波は前述以外の例としてＡＭ波、ＦＭ波の時報情報などを受信するようにしても良い。
【符号の説明】
【０１５８】
１０  タイムレコーダ本体、１１  カード挿入口、１４  装着部、１５  雄コネクタ、１５Ａ〜１５Ｅ  接続端子、２１  雌コネクタ、２０  外部ユニット、２１Ａ〜２１Ｅ  接続端子、３０  タイムカード、１００  タイムレコーダ、１１０  制御部、１１０Ａ  側計時部、１１０Ｂ  カレンダー処理部、１１０Ｃ  設定情報生成部、１１０Ｄ  表示制御部、１１０Ｅ  時刻印字制御部、１１０Ｆ  外部インターフェース部、１１０Ｇ  時刻補正処理部、１１１  ＲＯＭ、１１２  ＲＡＭ、１１７  水晶振動子、１２０  時刻印字関連機能部、１２１  プリンタヘッド、１２２  カード送りモータ、１２３  ヘッド送りモータ、１２４  カードセンサー、１２５  ヘッドセンサー、１３０  表示部、１４０  操作部、１５０  電源回路、２１０  制御部、２１１  ＲＯＭ、２１２  ＲＡＭ、２２０  標準電波受信部、２２１  受信アンテナ、２２２  時刻電波受信回路、２１７  水晶振動子、２１０Ａ  外部側計時部、２１０Ｂ  カレンダー処理部、２１０Ｃ  本体接続インターフェース部、２１０Ｄ  標準電波受信制御部、２１０Ｅ  時刻補正処理部、２３０  電源回路、２３０Ａ  充電回路、２４０  電源検知部、２５０  ＬＥＤ表示部、発光部  ２５１Ａ〜２５１Ｃ
【図１】
2014010471.tif 000003
【図２】
2014010471.tif 000004
【図３】
2014010471.tif 000005
【図４】
2014010471.tif 000006
【図５】
2014010471.tif 000007
【図６】
2014010471.tif 000008
【図７】
2014010471.tif 000009
【図８】
2014010471.tif 000010
【図９】
2014010471.tif 000011
【図１０】
2014010471.tif 000012
【図１１】
2014010471.tif 000013
【図１２】
2014010471.tif 000014
【図１３】
2014010471.tif 000015
【図１４】
2014010471.tif 000016